【手続補正書】
【提出日】平成26年7月10日(2014.7.10)
【手続補正１】
【補正対象書類名】明細書
【補正対象項目名】００４７
【補正方法】変更
【補正の内容】
【００４７】
上記の目的を達成するために、本発明による輝度信号作成装置は、第１の色信号を含む複数の色信号で構成された画像信号に応じて輝度信号を作成する輝度信号作成装置において、前記画像信号のうちの前記第１の色信号に応じていない画素に対して前記第１の色信号を補間して第１の輝度信号を生成する第１の輝度信号生成手段と、前記複数の色信号のそれぞれを画素の位置における輝度信号として第２の輝度信号を生成する第２の輝度信号生成手段と、前記画像信号から周波数の異なる複数の階層の画像信号を生成する階層画像生成手段と、前記複数の階層の画像信号のそれぞれに対して偽色領域を判別して偽色領域検出信号を出力する偽色領域検出手段と、前記偽色領域検出信号に応じて前記複数の階層の画像信号のうち１つを選択する第１の選択手段と、前記選択された階層の画像信号で得られた彩度信号に応じて前記第１及び第２の輝度信号を混合して第３の輝度信号を生成する混合手段とを有することを特徴とする。
【手続補正２】
【補正対象書類名】明細書
【補正対象項目名】００４８
【補正方法】変更
【補正の内容】
【００４８】
本発明による輝度信号作成装置は、第１の色信号を含む複数の色信号で構成された画像信号に応じて輝度信号を作成する輝度信号作成装置において、前記第１の色信号の補間対象の画素位置に対して、第１及び第２の方向の画素データに基づいて補間処理する第１の補間手段と、補間対象の画素位置に対して、前記第１の方向の画素データに基づいて補間処理する第２の補間手段と、補間対象の画素位置に対して、前記第２の方向の画素データに基づいて補間処理する第３の補間手段と、補間対象の画素位置の信号に対する前記第１及び第２の方向の相関を同色の色信号の差分に基づく値を用いて比べる第１の判別手段と、補間対象の画素位置の信号に対する前記第１及び第２の方向の相関を同色ではない色信号の差分に基づく値を用いて比べる第２の判別手段と、前記画像信号から周波数の異なる複数の階層の画像信号を生成する階層画像生成手段と、前記複数の階層の画像信号のそれぞれに対して偽色領域を判別して偽色領域検出信号を出力する偽色領域検出手段と、前記偽色領域検出信号に応じて前記複数の階層の画像信号のうち１つを選択する第１の選択手段と、前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成することを特徴とする。
【手続補正３】
【補正対象書類名】明細書
【補正対象項目名】００５０
【補正方法】変更
【補正の内容】
【００５０】
本発明による輝度信号作成方法は、第１の色信号を含む複数の色信号で構成された画像信号に応じて輝度信号を作成する際に用いられる輝度信号作成方法において、前記画像信号のうちの前記第１の色信号に応じていない画素に対して前記第１の色信号を補間して第１の輝度信号を生成する第１の輝度信号生成ステップと、前記複数の色信号のそれぞれを画素の位置における輝度信号として第２の輝度信号を生成する第２の輝度信号生成ステップと、前記画像信号から周波数の異なる複数の階層の画像信号を生成する階層画像生成ステップと、前記複数の階層の画像信号のそれぞれに対して偽色領域を判別して偽色領域検出信号を出力する偽色領域検出ステップと、前記偽色領域検出信号に応じて前記複数の階層の画像信号のうち１つを選択する選択ステップと、前記選択された階層の画像信号で得られた彩度信号に応じて前記第１及び第２の輝度信号を混合して第３の輝度信号を生成する混合ステップとを有することを特徴とする。
【手続補正４】
【補正対象書類名】明細書
【補正対象項目名】００５１
【補正方法】変更
【補正の内容】
【００５１】
本発明による輝度信号作成方法は、第１の色信号を含む複数の色信号で構成された画像信号に応じて輝度信号を作成する際に用いられる輝度信号作成方法において、前記第１の色信号の補間対象の画素位置に対して、第１及び第２の方向の画素データに基づいて補間処理する第１の補間ステップと、補間対象の画素位置に対して、前記第１の方向の画素データに基づいて補間処理する第２の補間ステップと、補間対象の画素位置に対して、前記第２の方向の画素データに基づいて補間処理する第３の補間ステップと、補間対象の画素位置の信号に対する前記第１及び第２の方向の相関を同色の色信号の差分に基づく値を用いて比べる第１の判別ステップと、補間対象の画素位置の信号に対する前記第１及び第２の方向の相関を同色ではない色信号の差分に基づく値を用いて比べる第２の判別ステップと、前記画像信号から偽色領域を判別して偽色領域検出信号を出力する偽色領域検出ステップと、前記偽色領域検出信号に応じて前記複数の階層の画像信号のうち１つを選択する第１の選択ステップと、前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成する輝度信号生成ステップとを有することを特徴とする。
【手続補正５】
【補正対象書類名】明細書
【補正対象項目名】００５２
【補正方法】変更
【補正の内容】
【００５２】
本発明によるプログラムは、第１の色信号を含む複数の色信号で構成された画像信号に応じて輝度信号を作成するためのプログラムにおいて、コンピュータに、前記画像信号のうちの前記第１の色信号に応じていない画素に対して前記第１の色信号を補間して第１の輝度信号を生成する第１の輝度信号生成ステップと、前記複数の色信号のそれぞれを画素の位置における輝度信号として第２の輝度信号を生成する第２の輝度信号生成ステップと、前記画像信号から周波数の異なる複数の階層の画像信号を生成する階層画像生成ステップと、前記複数の階層の画像信号のそれぞれに対して偽色領域を判別して偽色領域検出信号を出力する偽色領域検出ステップと、前記偽色領域検出信号に応じて前記複数の階層の画像信号のうち１つを選択する選択ステップと、前記選択された階層の画像信号で得られた彩度信号に応じて前記第１及び第２の輝度信号を混合して第３の輝度信号を生成する混合ステップとを実行させることを特徴とする。
【手続補正６】
【補正対象書類名】明細書
【補正対象項目名】００５３
【補正方法】変更
【補正の内容】
【００５３】
本発明によるプログラムは、第１の色信号を含む複数の色信号で構成された画像信号に応じて輝度信号を作成するためのプログラムにおいて、コンピュータに、前記第１の色信号の補間対象の画素位置に対して、第１及び第２の方向の画素データに基づいて補間処理する第１の補間ステップと、補間対象の画素位置に対して、前記第１の方向の画素データに基づいて補間処理する第２の補間ステップと、補間対象の画素位置に対して、前記第２の方向の画素データに基づいて補間処理する第３の補間ステップと、補間対象の画素位置の信号に対する前記第１及び第２の方向の相関を同色の色信号の差分に基づく値を用いて比べる第１の判別ステップと、補間対象の画素位置の信号に対する前記第１及び第２の方向の相関を同色ではない色信号の差分に基づく値を用いて比べる第２の判別ステップと、前記画像信号から偽色領域を判別して偽色領域検出信号を出力する偽色領域検出ステップと、前記偽色領域検出信号に応じて前記複数の階層の画像信号のうち１つを選択する第１の選択ステップと、前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成する輝度信号生成ステップとを実行させることを特徴とする。
【手続補正７】
【補正対象書類名】特許請求の範囲
【補正対象項目名】全文
【補正方法】変更
【補正の内容】
【特許請求の範囲】
【請求項１】
第１の色信号を含む複数の色信号で構成された画像信号に応じて輝度信号を作成する輝度信号作成装置において、
前記画像信号のうちの前記第１の色信号に応じていない画素に対して前記第１の色信号を補間して第１の輝度信号を生成する第１の輝度信号生成手段と、
前記複数の色信号のそれぞれを画素の位置における輝度信号として第２の輝度信号を生成する第２の輝度信号生成手段と、
前記画像信号から周波数の異なる複数の階層の画像信号を生成する階層画像生成手段と、
前記複数の階層の画像信号のそれぞれに対して偽色領域を判別して偽色領域検出信号を出力する偽色領域検出手段と、
前記偽色領域検出信号に応じて前記複数の階層の画像信号のうち１つを選択する第１の選択手段と、
前記選択された階層の画像信号で得られた彩度信号に応じて前記第１及び第２の輝度信号を混合して第３の輝度信号を生成する混合手段と
を有することを特徴とする輝度信号作成装置。
【請求項２】
前記混合手段は、前記彩度信号が小さいほど前記第２の輝度信号を混合する比率を大きくすることを特徴とする請求項１記載の輝度信号作成装置。
【請求項３】
前記画像信号を受けてそのエッジの方向を判別して角度判別信号を出力する方向判別手段を有し、
前記混合手段は、前記角度判別信号が示す前記エッジの方向が４５度あるいは１３５度に近くなるほど前記第２の輝度信号を混合する比率を大きくすることを特徴とする請求項１又は２記載の輝度信号作成装置。
【請求項４】
前記第２の輝度信号生成手段は、前記複数の色信号について水平、垂直、及び４５度方向の帯域を制限した第４の輝度信号と、前記複数の色信号について水平、垂直、及び１３５度方向の帯域を制限した第５の輝度信号とを生成する第１のフィルタ手段と、
前記第４及び前記第５の輝度信号の一方を前記角度判別信号に応じて選択して選択輝度信号として出力する第２の選択手段と、
彩度信号と前記角度判別信号とに応じて、前記複数の色信号について水平及び垂直方向の帯域を制限して得られた第６の輝度信号と前記選択輝度信号を混合して前記第２の輝度信号を生成する生成手段と
を有することを特徴とする請求項３に記載の輝度信号作成装置。
【請求項５】
前記生成手段は、前記彩度信号が大きいほど前記選択輝度信号を混合する比率を大きくすることを特徴とする請求項４記載の輝度信号作成装置。
【請求項６】
前記生成手段は、前記角度判別信号が示す前記エッジの方向が４５度あるいは１３５度に近くなるほど前記選択輝度信号を混合する比率を大きくすることを特徴とする請求項４又は５記載の輝度信号作成装置。
【請求項７】
前記複数の階層の画像信号から色差信号を算出する色差信号算出手段と、
前記選択された階層の画像信号から算出された色差信号から前記彩度信号を出力する彩度信号生成手段と
を有することを請求項１乃至６のいずれか１項に記載の輝度信号作成装置。
【請求項８】
前記方向判別手段は、前記画像信号について空間周波数領域において１３５度方向のバンドパスフィルタ処理を行って第１のバンドパス信号を得る第２のフィルタ手段と、
前記画像信号について空間周波数領域において４５度方向のバンドパスフィルタ処理を行って第２のバンドパス信号を得る第３のフィルタ手段とを有し、
前記第１のバンドパス信号が示す値の絶対値から前記第２のバンドパス信号が示す値の絶対値を減算した減算結果が正であると、前記角度判別信号は４５度線の領域を示し、前記減算結果が負であると、前記角度判別信号は１３５度線の領域を示すことを特徴とする請求項３記載の輝度信号作成装置。
【請求項９】
前記複数の色信号で構成された画像信号は、Ｒ、Ｇ１、Ｇ２、及びＢの色信号からなるベイヤー配列で構成された画像信号であり、
前記偽色領域検出手段は、前記Ｇ１の色信号に応じていない画素に対して前記Ｇ１の色信号を補間して前記Ｇ１の画像信号を生成するとともに、前記Ｇ２の色信号に応じていない画素に対して前記Ｇ２の色信号を補間して前記Ｇ２の画像信号を生成し、前記Ｇ１の画像信号とＧ２の画像信号のそれぞれにおける傾きから偽色領域であるか否かを判別することを特徴とする請求項１乃至８のいずれか１項に記載の輝度信号作成装置。
【請求項１０】
前記第１の選択手段は前記偽色領域検出手段によって偽色領域でないと判別された複数の階層の画像信号のうち、最も周波数の高い画像信号を選択することを特徴とする請求項９に記載の輝度信号作成装置。
【請求項１１】
前記画像信号をローパスフィルタ処理してベース輝度信号を得るベース信号生成手段を有し、
前記第２の輝度信号生成手段は、前記画像信号をバンドパスフィルタ処理して前記第２の輝度信号である第１の高周波信号を作成し、
前記混合手段は、前記第１の高周波信号と前記第１の輝度信号を混合して第２の高周波信号を得る混合部と、前記第２の高周波信号と前記ベース輝度信号とを加算して前記第３の輝度信号とする加算部とを有することを特徴とする請求項１記載の輝度信号作成装置。
【請求項１２】
請求項１乃至１１のいずれか１項に記載の輝度信号作成装置を備え、被写体を撮像して前記画像信号を得ることを特徴する撮像装置。
【請求項１３】
第１の色信号を含む複数の色信号で構成された画像信号に応じて輝度信号を作成する際に用いられる輝度信号作成方法において、
前記画像信号のうちの前記第１の色信号に応じていない画素に対して前記第１の色信号を補間して第１の輝度信号を生成する第１の輝度信号生成ステップと、
前記複数の色信号のそれぞれを画素の位置における輝度信号として第２の輝度信号を生成する第２の輝度信号生成ステップと、
前記画像信号から周波数の異なる複数の階層の画像信号を生成する階層画像生成ステップと、
前記複数の階層の画像信号のそれぞれに対して偽色領域を判別して偽色領域検出信号を出力する偽色領域検出ステップと、
前記偽色領域検出信号に応じて前記複数の階層の画像信号のうち１つを選択する選択ステップと、
前記選択された階層の画像信号で得られた彩度信号に応じて前記第１及び第２の輝度信号を混合して第３の輝度信号を生成する混合ステップと
を有することを特徴とする輝度信号作成方法。
【請求項１４】
第１の色信号を含む複数の色信号で構成された画像信号に応じて輝度信号を作成するためのプログラムにおいて、
コンピュータに、
前記画像信号のうちの前記第１の色信号に応じていない画素に対して前記第１の色信号を補間して第１の輝度信号を生成する第１の輝度信号生成ステップと、
前記複数の色信号のそれぞれを画素の位置における輝度信号として第２の輝度信号を生成する第２の輝度信号生成ステップと、
前記画像信号から周波数の異なる複数の階層の画像信号を生成する階層画像生成ステップと、
前記複数の階層の画像信号のそれぞれに対して偽色領域を判別して偽色領域検出信号を出力する偽色領域検出ステップと、
前記偽色領域検出信号に応じて前記複数の階層の画像信号のうち１つを選択する選択ステップと、
前記選択された階層の画像信号で得られた彩度信号に応じて前記第１及び第２の輝度信号を混合して第３の輝度信号を生成する混合ステップと
を実行させることを特徴とするプログラム。
【請求項１５】
請求項１４に記載のプログラムが記録されたコンピュータで読み取り可能な記録媒体。 
【請求項１６】
第１の色信号を含む複数の色信号で構成された画像信号に応じて輝度信号を作成する輝度信号作成装置において、
前記第１の色信号の補間対象の画素位置に対して、第１及び第２の方向の画素データに基づいて補間処理する第１の補間手段と、
補間対象の画素位置に対して、前記第１の方向の画素データに基づいて補間処理する第２の補間手段と、
補間対象の画素位置に対して、前記第２の方向の画素データに基づいて補間処理する第３の補間手段と、
補間対象の画素位置の信号に対する前記第１及び第２の方向の相関を同色の色信号の差分に基づく値を用いて比べる第１の判別手段と、
補間対象の画素位置の信号に対する前記第１及び第２の方向の相関を同色ではない色信号の差分に基づく値を用いて比べる第２の判別手段と、
前記画像信号から周波数の異なる複数の階層の画像信号を生成する階層画像生成手段と、
前記複数の階層の画像信号のそれぞれに対して偽色領域を判別して偽色領域検出信号を出力する偽色領域検出手段と、
前記偽色領域検出信号に応じて前記複数の階層の画像信号のうち１つを選択する第１の選択手段と、
前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成することを特徴とする輝度信号生成装置。
【請求項１７】
第１の色信号を含む複数の色信号で構成された画像信号に応じて輝度信号を作成する輝度信号作成装置において、
前記第１の色信号の補間対象の画素位置に対して、第１及び第２の方向の画素データに基づいて補間処理する第１の補間手段と、
補間対象の画素位置に対して、前記第１の方向の画素データに基づいて補間処理する第２の補間手段と、
補間対象の画素位置に対して、前記第２の方向の画素データに基づいて補間処理する第３の補間手段と、
補間対象の画素位置の信号に対する前記第１及び第２の方向の相関を同色の色信号の差分に基づく値を用いて比べる第１の判別手段と、
補間対象の画素位置の信号に対する前記第１及び第２の方向の相関を同色ではない色信号の差分に基づく値を用いて比べる第２の判別手段と、
前記画像信号から周波数の異なる複数の階層の画像信号を生成する階層画像生成手段と、
前記複数の階層の画像信号のそれぞれに対して偽色領域を判別して偽色領域検出信号を出力する偽色領域検出手段と、
前記偽色領域検出信号に応じて前記複数の階層の画像信号のうち１つを選択する第１の選択手段と、
前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を前記第１の輝度信号とすることを特徴とする請求項１乃至１１のいずれか１項に記載の輝度信号作成装置。
【請求項１８】
請求項１６又は１７記載の輝度信号作成装置を備え、被写体を撮像して前記画像信号を得ることを特徴する撮像装置。
【請求項１９】
第１の色信号を含む複数の色信号で構成された画像信号に応じて輝度信号を作成する際に用いられる輝度信号作成方法において、
前記第１の色信号の補間対象の画素位置に対して、第１及び第２の方向の画素データに基づいて補間処理する第１の補間ステップと、
補間対象の画素位置に対して、前記第１の方向の画素データに基づいて補間処理する第２の補間ステップと、
補間対象の画素位置に対して、前記第２の方向の画素データに基づいて補間処理する第３の補間ステップと、
補間対象の画素位置の信号に対する前記第１及び第２の方向の相関を同色の色信号の差分に基づく値を用いて比べる第１の判別ステップと、
補間対象の画素位置の信号に対する前記第１及び第２の方向の相関を同色ではない色信号の差分に基づく値を用いて比べる第２の判別ステップと、
前記画像信号から偽色領域を判別して偽色領域検出信号を出力する偽色領域検出ステップと、
前記偽色領域検出信号に応じて前記複数の階層の画像信号のうち１つを選択する第１の選択ステップと、
前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成する輝度信号生成ステップとを有することを特徴とする輝度信号作成方法。
【請求項２０】
第１の色信号を含む複数の色信号で構成された画像信号に応じて輝度信号を作成する際に用いられる輝度信号作成方法において、
前記第１の色信号の補間対象の画素位置に対して、第１及び第２の方向の画素データに基づいて補間処理する第１の補間ステップと、
補間対象の画素位置に対して、前記第１の方向の画素データに基づいて補間処理する第２の補間ステップと、
補間対象の画素位置に対して、前記第２の方向の画素データに基づいて補間処理する第３の補間ステップと、
補間対象の画素位置の信号に対する前記第１及び第２の方向の相関を同色の色信号の差分に基づく値を用いて比べる第１の判別ステップと、
補間対象の画素位置の信号に対する前記第１及び第２の方向の相関を同色ではない色信号の差分に基づく値を用いて比べる第２の判別ステップと、
前記画像信号から偽色領域を判別して偽色領域検出信号を出力する偽色領域検出ステップと、
前記偽色領域検出信号に応じて前記複数の階層の画像信号のうち１つを選択する第１の選択ステップと、
前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成する輝度信号生成ステップを前記第１の輝度信号を生成する第１の輝度信号生成ステップとして有することを特徴とする請求項１３に記載の輝度信号作成方法。
【請求項２１】
第１の色信号を含む複数の色信号で構成された画像信号に応じて輝度信号を作成するためのプログラムにおいて、
コンピュータに、
前記第１の色信号の補間対象の画素位置に対して、第１及び第２の方向の画素データに基づいて補間処理する第１の補間ステップと、
補間対象の画素位置に対して、前記第１の方向の画素データに基づいて補間処理する第２の補間ステップと、
補間対象の画素位置に対して、前記第２の方向の画素データに基づいて補間処理する第３の補間ステップと、
補間対象の画素位置の信号に対する前記第１及び第２の方向の相関を同色の色信号の差分に基づく値を用いて比べる第１の判別ステップと、
補間対象の画素位置の信号に対する前記第１及び第２の方向の相関を同色ではない色信号の差分に基づく値を用いて比べる第２の判別ステップと、
前記画像信号から偽色領域を判別して偽色領域検出信号を出力する偽色領域検出ステップと、
前記偽色領域検出信号に応じて前記複数の階層の画像信号のうち１つを選択する第１の選択ステップと、
前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成する輝度信号生成ステップと
を実行させることを特徴とするプログラム。
【請求項２２】
第１の色信号を含む複数の色信号で構成された画像信号に応じて輝度信号を作成するためのプログラムにおいて、
コンピュータに、
前記第１の色信号の補間対象の画素位置に対して、第１及び第２の方向の画素データに基づいて補間処理する第１の補間ステップと、
補間対象の画素位置に対して、前記第１の方向の画素データに基づいて補間処理する第２の補間ステップと、
補間対象の画素位置に対して、前記第２の方向の画素データに基づいて補間処理する第３の補間ステップと、
補間対象の画素位置の信号に対する前記第１及び第２の方向の相関を同色の色信号の差分に基づく値を用いて比べる第１の判別ステップと、
補間対象の画素位置の信号に対する前記第１及び第２の方向の相関を同色ではない色信号の差分に基づく値を用いて比べる第２の判別ステップと、
前記画像信号から偽色領域を判別して偽色領域検出信号を出力する偽色領域検出ステップと、
前記偽色領域検出信号に応じて前記複数の階層の画像信号のうち１つを選択する第１の選択ステップと、
前記選択された階層の画像信号で得られた彩度信号に応じて前記第１及び第２の判別結果に基づいて、前記第１、第２、及び第３の補間手段を混合して補間信号を出力し、前記補間信号に基づいた輝度信号を作成する輝度信号生成ステップを前記第１の輝度信号を生成する第１の輝度信号生成ステップとして実行させることを特徴とする請求項１５に記載のプログラム。
【請求項２３】
請求項２１又は２２記載のプログラムが記録されたコンピュータで読み取り可能な記録媒体。